(57)【要約】      （修正有）【課題】生産品の配達先への配達時間と収穫からの経過時間を提示し、購入者が欲しい生産品を欲しい時期に鮮度が高い内に生産品を購入できる生産者直接販売システムを提供する。【解決手段】生産品毎の収穫予定日時等の生産品情報を設定する生産者端末と、出荷場所から配達エリア毎の配送時間等の配達エリア情報を設定する配達者端末と、生産品を購入する購入者端末と、生産者が設定した生産品毎の出荷場所／生産品名称／出荷予定数量等を保持する生産品ＤＢの生産品・テーブルと、配達者が設定した出荷場所毎の出荷場所／集配時間等を保持する配達者ＤＢの配達エリア・テーブルと、購入者が設定した購入者氏名／購入者住所等を保持する購入者ＤＢの購入者プロファイル・テーブルと、購入を希望する生産品名称等の検索条件入力を促し、購入者端末に検索条件に一致する生産品の検索結果一覧を表示し購入を促す生産品検索手段とを具備する。【選択図】図１
2011002915.tif 000002
【特許請求の範囲】
【請求項１】
生産品毎の収穫予定日時等の生産品情報を設定する際に使用する生産者端末と、出荷場所から配達エリア毎の配送時間等の配達エリア情報を設定する際に使用する配達者端末と、生産品を購入する際に使用する購入者端末と、生産者が設定した生産品毎の出荷場所／生産品名称／出荷予定数量／出荷予定日時／収穫予定日時等を保持する生産品ＤＢの生産品・テーブルと、配達者が設定した出荷場所毎の出荷場所／集配時間／郵便番号別配送時間等を保持する配達者ＤＢの配達エリア・テーブルと、購入者が設定した購入者氏名／購入者郵便番号／購入者住所等を保持する購入者ＤＢの購入者プロファイル・テーブルと、購入を希望する生産品名称等の検索条件入力を促し、購入者端末に検索条件に一致する生産品の検索結果一覧を表示し購入を促す生産品検索手段とを具備し、生産品検索手段は、購入者端末に対し購入希望する生産品の検索時に生産品名称／配達先郵便番号／配達希望日時開始〜終了等の入力を促し、生産品ＤＢの生産品テーブルの出荷予定日時と、出荷予定日時以降の配達者ＤＢの配達エリア・テーブルの集配時間と、購入者の配達先郵便番号と一致する配達エリア・テーブルの郵便番号別配送時間から配達完了予定日時を算出することを特徴とする生産者直接販売システム・サーバ。
【請求項２】
前記生産品検索手段は、検索条件に合致した生産品の内、生産品・テーブルの収穫予定時間と算出された配達完了予定日時の時差から収穫経過予定時間を算出し、収穫経過予定時間の順番に生産者氏名／商品名称／単価／配達完了予定日時／収穫経過予定時間の生産品の検索結果一覧を購入者端末に表示する生産者直接販売システム・サーバ。
【請求項３】
購入者毎の購入者ＩＤ／電子ポイント残高／支払い予定電子ポイント残高等を保持する購入者ＤＢのワレット・テーブルと、購入者に対し生産品の購入時に使用する代金決済用の電子ポイントの事前購入手続き及び購入入力を促し、クレジットカ￥ド決済等により購入した電子ポイントを購入者ＤＢのワレット・テーブルに保持させる電子ポイント購入手段を具備し、生産品購入手段は生産品の検索結果一覧により購入する生産品の購入手続き及び購入数量の入力を促し、ワレット・テーブルの電子ポイントの残高の範囲内で購入受付を行い、電子ポイントから購入した生産品の代金を減じた電子ポイントが電子ポイント残高に保持させる生産者直接販売システム・サーバ。
【請求項４】
生産品情報である生産品ＩＤ／購入ＩＤ／購入者ＩＤ／購入数量／購入単価／配達先住所／配達先氏名等を保持する購入情報ＤＢの購入情報・テーブルと、配達先情報である生産品ＩＤ／購入ＩＤ／配達数量／梱包サイズ／梱包重量／配達ＩＤ／集配日時／等を保持する配達情報ＤＢの配達情報・テーブルと、支払情報である購入ＩＤ／配達ＩＤ／配達数量／購入単価／購入者受取完了区分／購入者受取日時／支払区分／支払金額／支払日時／支払完了区分／支払完了日時／配達者ＩＤ／配達完了日時等を保持する支払情報ＤＢの支払情報・テーブルと、クレーム情報である生産品ＩＤ／配達ＩＤ／購入ＩＤ／クレーム内容等を保持するクレームＤＢのクレーム・テーブルと、購入者から購入数量等の購入手続きが行われると、生産品ＩＤや購入数量等の購入情報を購入情報・テーブルに保持させること、配達完了予定日時等の配達情報を配達情報・テーブルに保持させること、購入単価や支払金額等の支払予定情報である支払情報・テーブルを保持させる生産品購入手段と、配達者に対し配達完了予定日時に配達完了日時の入力を促し、配達者によって入力された配達完了日時を配達情報・テーブルに保持させる配達者登録手段と、購入者に対し配達完了日時から一定時間までに購入者受取完了区分及び購入者受取日時の入力を促し、購入者は入力された購入者受取完了区分及び購入者受取日時を支払情報・テーブルに保持させる受取完了入力手段と、購入者に対し配達完了日時から一定時間までに購入した生産品に対するクレームの入力を促し、入力された破損状況等のクレーム内容をクレーム・テーブルに保持させるクレーム登録手段と支払情報・テーブルの購入者受取完了区分が“有効”になっている支払予定の購入品に対し、生産者に支払手続きを行い、支払完了区分／支払完了日時等の支払内容を支払情報・テーブルに保持させる支払完了手段とを具備し、受取完了入力手段において、購入者は代金の支払い停止したい場合には、購入者受取完了区分を“無効”とする。また、受取完了入力手段は、配達完了日時から一定時間後の購入者受取完了区分が未入力の場合は、“有効”の設定を行う生産者直接販売システム・サーバ。
【請求項５】
生産者が設定した生産者プロファイル情報である生産者氏名／生産者住所／メールＩＤ／先物生産品分類／先物生産品名称等を保持する生産品ＤＢの生産者プロファイル・テーブルと、購入者が欲しい先物の生産品情報である先物生産品分類／先物生産品名称／購入者ＩＤ／希望数量／希望単価／要求期限日時等を保持する先物購入要求ＤＢの先物購入要求・テーブルと、生産者から先物生産品分類や先物生産品名称等の登録手続きが行われると生産者が取扱う複数の先物生産品分類や生産品名称等の先物生産品情報を生産者プロファイル・テーブルに保持させる生産者登録手段と、購入者に対し生産品検索の結果、欲しい生産品が見つからない場合に先物生産品情報の入力を促し、入力された先物生産品分類や先物生産品名称等の先物購入要求情報を先物購入要求・テーブルに保持させ、生産者プロファイル・テーブルの先物生産品分類や先物生産品名称と一致する生産者に先物購入要求の電子メールを配信する先物購入手段と、先物購入要求の電子メールを受けた生産者またはその他の生産者に対し購入者から登録された購入要求のある先物生産品の検索入力を促し、購入要求のある生産品が生産可能性な場合には購入要求のある生産品に対する生産品名称や出荷予定日時等の生産品情報を生産品・テーブルに保持させ、先物購入要求を登録した購入者に対し先物購入要求の生産品が購入可能になった旨を連絡する電子メールを配信する先物購入手段とを具備し、購入者は生産品購入手段によって購入要求を行った生産品の購入手続きを行う生産者直接販売システム・サーバ。また、先物購入手段は、先物購入要求の生産品の購入が完了した場合に購入者に対し先物購入要求の完了入力を促し、要求購入完了情報を先物購入要求・テーブルに保持させる生産者直接販売システム・サーバ。
【請求項６】
生産品毎の生産品ＩＤ／出荷場所／生産品名称／出荷予定数量／受注可能数量／出荷予定日時／収穫予定日時／収穫変更上限閾値／収穫変更上限日時／収穫変更下限閾値／収穫変更下限日時等を保持する生産品ＤＢの生産品・テーブルと、生産品情報の登録及び変更を促し、入力された出荷予定数量／収穫変更上限閾値／収穫変更上限日時／収穫変更下限閾値／収穫変更下限日時等の生産品情報を生産品・テーブルに保持させる生産者登録手段と、購入者から購入数量等の購入手続きが行われると受注可能性数量から購入数量を減じた生産品情報を生産品・テーブルに保持させる生産品購入手段とを備え、収穫計画予定手段は、生産品・テーブルの収穫変更下限日時に出荷予定数量から受注可能数量を減じた販売予定数量が収穫変更下限閾値を下回った場合にメールサーバから生産者へ“販売予定数量が収穫変更下限閾を下回っています”旨のメールを配信制御すると、生産品・テーブルの収穫変更上限日時に出荷予定数量から受注可能数量を減じた販売予定数量が収穫変更上限閾値を上回った場合にメールサーバから生産者へ“販売予定数量が収穫変更上限閾を上回っています”旨のメールを配信制御する生産者直接販売システム・サーバ。
【請求項７】
配達情報の出荷場所ＩＤ／生産品ＩＤ／配達者ＩＤ／配達数量／梱包サイズ／梱包重量／集配日時等を保持する配達情報ＤＢの配達情報・テーブルと、輸送車の積載情報の登録及び変更を促し、入力された積載上限重量閾値／積載上限サイズ上限閾値／積載下限重量閾値／積載下限サイズ上限閾値／積載判定時刻等の積載情報を配達者プロファイル・テーブルに保持させる配達者登録手段と、購入者から購入数量等の購入手続きが行われると入力された購入数量等の配達情報を配達情報・テーブルに保持させる生産品購入手段とを具備し、配達計画予定手段は配達者プロファイル・テーブルの積載判定時刻に積載上限重量閾値／積載上限サイズ上限閾値／積載下限重量閾値／積載下限サイズ上限閾値の閾値圏外に配達情報・テーブルの配達者ＩＤ／集配日時別に梱包重量と梱包サイズを算出値がある場合にメールサーバから配達者へ“積載量の閾値外の配達です。”旨のメールを配信制御する生産者直接販売システム・サーバ。
【発明の詳細な説明】
【技術分野】
【０００１】
本発明は、インターネットを介して生産者による生鮮食料品等の出荷予定日時等の生産品情報と配達者による出荷場所から配達先までの配達時間等の配達エリア情報の提示と、購入者の配達先住所情報及び配達希望日時等の購入情報を提供することにより、購入者が生産者から生産品を直接購入する販売管理に関する。なお、ここにいう生産品とは、有機体としての生産品だけでなく、広く役務を含むものとする。          
【背景技術】
【０００２】
従来、一般消費者は、インターネットを介して、農業生産者や漁業生産者等の生産者から生産品を直接購入することは知られていた。
しかし、一般消費者である購入者が欲しい時期に生産品を入手するために生産品の収穫予定時期等の生産品情報が入手困難であること、各生産者の生産品情報を比較・検討することが困難であること、購入決済に際し生鮮食料品等の小口精算においてクレジットカード決済等を毎回行う手間があること、購入・入手した生産品が不良品で代金が生産者に支払い済みの場合、代金の返金が困難であること、購入者が先物の生産品を生産者に販売を要請することは困難であった。
【０００３】
従来、生産者は、インターネットを介して、生産品を一般消費者に直接販売することは知られていた。
しかし、生産品の収穫数量と販売数量の不整合が発生し、販売機会の損失や生産品の廃棄を行うことがあった。
【０００４】
従来、宅配業者等の配達者は、インターネットを介した販売システムでの生鮮食料品等の生産品を生産者から購入者へ配達することは知られていた。
しかし、配達直前時点での配達物及び配達数量を提示され、輸送車の積載量の不足や過剰を発生されていることがあった。
【発明の概要】
【発明が解決しようとする課題】
【０００５】
しかしながら、購入者が生産品を欲しい時期に入手するためには、購入希望の生産品の出荷予定日時等の生産品情報と、出荷場所からの配達先までの配送時間等の配達エリア情報を生産者や配達者から入手する必要がある。
【０００６】
また、購入者が新鮮な生産品を入手するためには、生産品の収穫予定日時等の生産品情報と、配達先に生産品を届ける配達完了予定日時等の配達情報を生産者や配達者から入手する必要がある。
【０００７】
また、生産品を購入する毎に行われる小口精算のクレジットカード決済等を避けたい場合、事前に電子ポイント等をクレジットカード決済により一括購入し、毎回の購入・精算は電子ポイントによる小口精算を行う方法等を利用する必要がある。
【０００８】
また、生産品が不良品であった場合には、購入者から生産者への代金支払いを停止する必要がある。
【０００９】
また、購入者が欲しい先物の生産品がある場合には、生産者が購入者の要求する先物の生産品を把握し生産の可能性を検討する必要がある。
【００１０】
また、収穫数量と販売数量の格差を減少させるためには、収穫前までに予約や購入状況を把握し、実態に合わせた出荷予定数量に変更する必要がある。
【００１１】
また、輸送車の積載量の不足や過剰を減少させるには、配達前までに配達物（生産品）及び配達数量を把握し、実態に合わせた積載量の輸送車に変更する必要がある。
【００１２】
本発明の目的は、生産品の配達先への配達時間と収穫からの経過時間を提示し、購入者が欲しい生産品を欲しい時期に鮮度が高い内に生産品を購入できることにある。
【課題を解決するための手段】
【００１３】
上記の課題を解決するために本発明の生産者直接販売システムは、生産品毎の収穫予定日時等の生産品情報を設定する際に使用する生産者端末と、出荷場所から配達エリア毎の配送時間等の配達エリア情報を設定する際に使用する配達者端末と、生産品を購入する際に使用する購入者端末と、生産者が設定した生産品毎の出荷場所／生産品名称／出荷予定数量／出荷予定日時／収穫予定日時等を保持する生産品ＤＢの生産品・テーブルと、配達者が設定した出荷場所毎の出荷場所／集配時間／郵便番号別配送時間等を保持する配達者ＤＢの配達エリア・テーブルと、購入者が設定した購入者氏名／購入者郵便番号／購入者住所等を保持する購入者ＤＢの購入者プロファイル・テーブルと、購入を希望する生産品名称等の検索条件入力を促し、購入者端末に検索条件に一致する生産品の検索結果一覧を表示し購入を促す生産品検索手段とを備え、生産品検索手段は、購入者端末に対し購入希望する生産品の検索時に生産品名称／配達先郵便番号／配達希望日時開始〜終了等の入力を促し、生産品ＤＢの生産品テーブルの出荷予定日時と、出荷予定日時以降の配達者ＤＢの配達エリア・テーブルの集配時間と、購入者の配達先郵便番号と一致する配達エリア・テーブルの郵便番号別配送時間から配達完了予定日時を算出する。
これにより、購入者端末に対し、生産品検索手段で入力された配達希望日時開始〜終了に合致する配達完了予定日時の生産品が表示されるという作用をもたらす。
【００１４】
また、生産品検索手段は、検索条件に合致した生産品の内、生産品・テーブルの収穫予定時間と算出された配達完了予定日時の時差から収穫経過予定時間を算出し、収穫経過予定時間の順番に生産者氏名／商品名称／単価／配達完了予定日時／収穫経過予定時間の生産品の検索結果一覧を購入者端末に表示する。
これにより、配達希望日時開始〜終了間の検索条件に合致する生産品の内で、生産品の鮮度や販売単価、配達完了予定日時を比較検討させ、購買を促すという作用をもたらす。
【００１５】
また、生産者直接販売システム・サーバは、購入者毎の購入者ＩＤ／電子ポイント残高／支払い予定電子ポイント残高等を保持する購入者ＤＢのワレット・テーブルと、購入者に対し生産品の購入時に使用する代金決済用の電子ポイントの事前購入手続き及び購入入力を促し、クレジットカード決済等により購入した電子ポイントを購入者ＤＢのワレット・テーブルに保持させる電子ポイント購入手段を備え、生産品購入手段は生産品の検索結果一覧により購入する生産品の購入手続き及び購入数量の入力を促し、ワレット・テーブルの電子ポイントの残高の範囲内で購入受付を行い、電子ポイントから購入した生産品の代金を減じた電子ポイントが電子ポイント残高に保持させる。
これにより、小口精算の生産品購入時に電子ポイントによる精算を行い、クレジットカード精算の使用回数を減らす作用をもたらす。
【００１６】
また、生産者直接販売システム・サーバは、生産品情報である生産品ＩＤ／購入ＩＤ／購入者ＩＤ／購入数量／購入単価／配達先住所／配達先氏名等を保持する購入情報ＤＢの購入情報・テーブルと、配達先情報である生産品ＩＤ／購入ＩＤ／配達数量／梱包サイズ／梱包重量／配達ＩＤ／集配日時／等を保持する配達情報ＤＢの配達情報・テーブルと、支払情報である購入ＩＤ／配達ＩＤ／配達数量／購入単価／購入者受取完了区分／購入者受取日時／支払区分／支払金額／支払日時／支払完了区分／支払完了日時／配達者ＩＤ／配達完了日時等を保持する支払情報ＤＢの支払情報・テーブルと、クレーム情報である生産品ＩＤ／配達ＩＤ／購入ＩＤ／クレーム内容等を保持するクレームＤＢのクレーム・テーブルと、購入者から購入数量等の購入手続きが行われると、生産品ＩＤや購入数量等の購入情報を購入情報・テーブルに保持させること、配達完了予定日時等の配達情報を配達情報・テーブルに保持させること、購入単価や支払金額等の支払予定情報である支払情報・テーブルを保持させる生産品購入手段と、配達者に対し配達完了予定日時に配達完了日時の入力を促し、配達者によって入力された配達完了日時を配達情報・テーブルに保持させる配達者登録手段と、購入者に対し配達完了日時から一定時間までに購入者受取完了区分及び購入者受取日時の入力を促し、購入者は入力された購入者受取完了区分及び購入者受取日時を支払情報・テーブルに保持させる受取完了入力手段と、購入者に対し配達完了日時から一定時間までに購入した生産品に対するクレームの入力を促し、入力された破損状況等のクレーム内容をクレーム・テーブルに保持させるクレーム登録手段と支払情報・テーブルの購入者受取完了区分が“有効”になっている支払予定の購入品に対し、生産者に支払手続きを行い、支払完了区分／支払完了日時等の支払内容を支払情報・テーブルに保持させる支払完了手段とを備え、受取完了入力手段において、購入者は代金の支払い停止したい場合には、購入者受取完了区分を“無効”とする。また、受取完了入力手段は、配達完了日時から一定時間後の購入者受取完了区分が未入力の場合は、“有効”の設定を行う。
これにより、購入した生産品が不良品等であった場合、購入者から生産者への購入代金の支払いを停止する作用をもたらす。
【００１７】
また、生産者直接販売システム・サーバは、生産者が設定した生産者プロファイル情報である生産者氏名／生産者住所／メールＩＤ／先物生産品分類／先物生産品名称等を保持する生産品ＤＢの生産者プロファイル・テーブルと、購入者が欲しい先物の生産品情報である先物生産品分類／先物生産品名称／購入者ＩＤ／希望数量／希望単価／要求期限日時等を保持する先物購入要求ＤＢの先物購入要求・テーブルと、生産者から先物生産品分類や先物生産品名称等の登録手続きが行われると生産者が取扱う複数の先物生産品分類や生産品名称等の先物生産品情報を生産者プロファイル・テーブルに保持させる生産者登録手段と、購入者に対し生産品検索の結果、欲しい生産品が見つからない場合に先物生産品情報の入力を促し、入力された先物生産品分類や先物生産品名称等の先物購入要求情報を先物購入要求・テーブルに保持させ、生産者プロファイル・テーブルの先物生産品分類や先物生産品名称と一致する生産者に先物購入要求の電子メールを配信する先物購入手段と、先物購入要求の電子メールを受けた生産者またはその他の生産者に対し購入者から登録された購入要求のある先物生産品の検索入力を促し、購入要求のある生産品が生産可能性な場合には購入要求のある生産品に対する生産品名称や出荷予定日時等の生産品情報を生産品・テーブルに保持させ、先物購入要求を登録した購入者に対し先物購入要求の生産品が購入可能になった旨を連絡する電子メールを配信する先物購入手段とを備え、購入者は生産品購入手段によって購入要求を行った生産品の購入手続きを行う。また、先物購入手段は、先物購入要求の生産品の購入が完了した場合に購入者に対し先物購入要求の完了入力を促し、要求購入完了情報を先物購入要求・テーブルに保持させる。
これにより、購入要求のある先物生産品分類や希望購入開始時期等の先物生産品の情報収集や生産の検討を行わせ、先物生産品の生産を促すという作用をもたらす。
【００１８】
また、生産者直接販売システム・サーバは、生産品毎の生産品ＩＤ／出荷場所／生産品名称／出荷予定数量／受注可能数量／出荷予定日時／収穫予定日時／収穫変更上限閾値／収穫変更上限日時／収穫変更下限閾値／収穫変更下限日時等を保持する生産品ＤＢの生産品・テーブルと、生産品情報の登録及び変更を促し、入力された出荷予定数量／収穫変更上限閾値／収穫変更上限日時／収穫変更下限閾値／収穫変更下限日時等の生産品情報を生産品・テーブルに保持させる生産者登録手段と、購入者から購入数量等の購入手続きが行われると受注可能性数量から購入数量を減じた生産品情報を生産品・テーブルに保持させる生産品購入手段とを備え、収穫計画予定手段は、生産品・テーブルの収穫変更下限日時に出荷予定数量から受注可能数量を減じた販売予定数量が収穫変更下限閾値を下回った場合にメールサーバから生産者へ“販売予定数量が収穫変更下限閾を下回っています”旨のメールを配信制御すると、生産品・テーブルの収穫変更上限日時に出荷予定数量から受注可能数量を減じた販売予定数量が収穫変更上限閾値を上回った場合にメールサーバから生産者へ“販売予定数量が収穫変更上限閾を上回っています”旨のメールを配信制御する。
これにより、販売実績数量が収穫変更下限閾値より少ない場合は収穫数量を減らし売残りを防止することと、販売実績数量が収穫変更上限閾値量より多い場合は収穫数量を増やし販売機会を増加させる作用をもたらす。
【００１９】
また、生産者直接販売システム・サーバは、配達情報の出荷場所ＩＤ／生産品ＩＤ／配達者ＩＤ／配達数量／梱包サイズ／梱包重量／集配日時等を保持する配達情報ＤＢの配達情報・テーブルと、輸送車の積載情報の登録及び変更を促し、入力された積載上限重量閾値／積載上限サイズ上限閾値／積載下限重量閾値／積載下限サイズ上限閾値／積載判定時刻等の積載情報を配達者プロファイル・テーブルに保持させる配達者登録手段と、購入者から購入数量等の購入手続きが行われると入力された購入数量等の配達情報を配達情報・テーブルに保持させる生産品購入手段とを備え、配達計画予定手段は配達者プロファイル・テーブルの積載判定時刻に積載上限重量閾値／積載上限サイズ上限閾値／積載下限重量閾値／積載下限サイズ上限閾値の閾値圏外に配達情報・テーブルの配達者ＩＤ／集配日時別に梱包重量と梱包サイズを算出値がある場合にメールサーバから配達者へ“積載量の閾値外の配達です。”旨のメールを配信制御する。
これにより、配達する生産品の積載量と輸送車の積載量に不整合がある場合、事前に適合する積載量の輸送車の配備対応を行う作用をもたらす。
【発明の効果】
【００２０】
購入者は、欲しい時期に合致する配達完了予定日時の欲しい生産品を仲卸等の中間業者の手数料が発生しない生産者直接販売により、生産品を購入できる。
【００２１】
また、購入者は、生産品の収穫予定日時と配達完了予定日時の時差から新鮮な生産品を比較検討して生産品を購入できる。
【００２２】
また、生産品を購入する度に行われるクレジットカード決済等を避けたい場合、電子ポイントをクレジットカード決済により一括購入し、毎回の購入・精算は電子ポイントによる小口精算を行うことで、クレジットカード決済の使用回数を減らせる。
【００２３】
また、購入者に配達された生産品が不良品であった場合、購入者は、受取りが完了していない状況を入力することで、生産者に対する代金の支払いを停止することができる。
【００２４】
また、生産品登録が行われていない先物生産品が欲しい場合、購入者が先物生産品分類や希望購入時期等の先物生産品の購入要求を行い、生産者対し先物生産品の生産を促すことができる。
【００２５】
また、生産者は、生産品の売れ筋状況と収穫変更下限閾値・収穫変更上限閾値により収穫予定数量（出荷予定数量）を変更し、生産品の売残りを減少させること、売上機会の向上を図ることができる。
【００２６】
また、配達者は、配達する生産品の積載量状況と積載下限重量閾値・積載上限重量閾値により、適正な積載量の輸送車の手配を図ることができる。
【図面の簡単な説明】
【００２７】
【図１】本発明の実施の形態における生産者直接販売システムの全体構成を示す図である。
【図２】本発明の実施の形態における生産者直接販売システム・サーバ（１０１）の主要部分を示す図である。
【図３】本発明の実施の形態における生産者ＤＢ（３０１）、生産品ＤＢ（３０４）、購入者ＤＢ（３１０）、購入情報ＤＢ（３２０）、先物購入要求ＤＢ（３２２）のデータベースを示す図である。
【図４】本発明の実施の形態における配達者ＤＢ（４０１）、配達情報ＤＢ（４０４）、クレームＤＢ（４０６）、支払情報ＤＢ（４１０）のデータベースを示す図である。
【図５】本発明の実施の形態における生産品検索の構成を示す図である。
【図６】本発明の実施の形態における検索条件入力画面のイメージを示す図である。
【図７】本発明の実施の形態における生産品検索の手順を示す図である。
【図８】本発明の実施の形態における配達完了予定日時の時系列を示す図である。
【図９】本発明の実施の形態における生産品検索の結果の画面イメージを示す図である。
【図１０】本発明の実施の形態における先物生産品の購入要求の構成を示す図である。
【図１１】本発明の実施の形態における販売実績一覧画面イメージを示す図である。
【図１２】本発明の実施の形態における販売予定とする収穫閾値の生産品・テーブルのイメージを示す図である。
【図１３】本発明の実施の形態における販売実績に対する警告メールのイメージを示す図である。
【図１４】本発明の実施の形態における配達予定一覧画面のイメージを示す図である。
【図１５】本発明の実施の形態における積載量閾値の配達者プロファイル・テーブルのイメージ  を示す図である。
【図１６】本発明の実施の形態における配達予定の積載量に対する警告メールのイメージを示す図である。
【発明を実施するための形態】
【００２８】
次に本発明の実施の形態について図面を参照して詳細に説明する。
【００２９】
図１を参照すると、本発明の生産者直接販売システムの実施形態は、生産品の販売管理を行う生産者直接販売システム・サーバ（１０１）と、生産者直接販売システム・サーバ（１０１）からの指示によりメールを送信するメール・サーバ（１０２）と、生産者が販売する生産品の情報登録や販売状況を管理する際に使用する生産者端末（１０３）と、購入者が欲しい生産品の検索や購入手続きに使用する購入者端末（１０４）と、配達者が配達エリア情報の登録や配達予定状況を管理する際に使用する配達者端末（１０５）とを備える。生産者直接販売システム・サーバ（１０１）、生産者端末（１０３）、購入者端末（１０４）、配達者端末（１０５）は、インターネットにより接続されている。
【００３０】
生産者直接販売システム・サーバ（１０１）は、生産者端末（１０３）に対して生産者が販売したい生産品情報の登録手続き及び販売状況管理の手続きを促す。また、生産者直接販売システム・サーバ（１０１）は、購入者端末（１０４）に対して購入者が欲しい生産品の検索手続き及び購入手続きを促す。また、生産者直接販売システム・サーバ（１０１）は、配達者端末（１０５）に対して集荷場所からの配達エリア情報の登録及び配達予定管理の手続きを促す。
メール・サーバ（１０２）は、先物生産品の購入要求が発生した時に先物生産品情報を生産者に知らせるために生産者直接販売システム・サーバ（１０１）からの指示により所定のタイミングで電子メールを発信する。また、メール・サーバ（１０２）は、生産品の販売実績が予定の閾値を超えるまたは下回る場合に販売状況を生産者に知らせるために生産者直接販売システム・サーバ（１０１）からの指示により所定のタイミングで電子メールを発信する。また、メール・サーバ（１０２）は、生産品の配達積載量が予定の閾値を超えるまたは下回る場合に配達予定状況を配達者に知らせるために生産者直接販売システム・サーバ（１０１）からの指示により所定のタイミングで電子メールを発信する。
【００３１】
生産者端末（１０３）は、生産者直接販売システム・サーバ（１０１）に対して生産者プロフィル情報、出荷場所情報、生産品情報の登録を行う。また、生産者端末（１０３）は、生産品の収穫前までに販売実績が予定とする出荷予定数量と乖離する場合、収穫予定数量の調整を行い、販売予定数量（出荷予定）更入力を行う。また、生産者端末（１０３）は、購入者が購入要求を行っている先物生産情報の検索を行う。
【００３２】
購入者端末（１０４）は、生産者直接販売システム・サーバ（１０１）に対して欲しい生産品の名称、欲しい時期の検索条件を入力し、該当する生産品の検索結果一覧を要求する。また、購入者端末（１０４）は、事前にクレジットカードによる購入代金の支払い決済用の電子ポイントの購入を行い、生産品購入の都度行われる小口決済の際に電子ポイントによる決済を要求する。また、購入者端末（１０４）は、入手した生産品が不良品であった場合、購入者から生産者への代金支払い停止を要求する。また、購入者端末（１０４）は、欲しい生産品が登録されていない場合、先物生産品分類や希望購入時期等の先物生産品の購入を要求する。
【００３３】
配達者端末（１０５）は、生産者直接販売システム・サーバ（１０１）に対して配達者プロフィル情報、出荷場所からの配達エリア情報の登録を行う。また、配達者端末（１０５）は、生産品の配達完了時点で配達完了情報の入力を行う。
【００３４】
図２を参照すると、本発明の実施の形態における生産者直接販売システムの主要部分は、購入者端末に対して欲しい生産品と時期の入力を促し生産品の検索結果一覧を表示する生産品検索手段（２０１）と、購入者端末に対して生産品の検索結果一覧により生産品の購入を促し購入数量の入力を受付ける生産品購入手段（２０２）と、購入者端末に対して生産品の購入時に使用する代金決済用の電子ポイントの購入を促し電子ポイントの保持を行う電子ポイント購入手段（２０３）と、購入者端末に対して配達された生産品の受取り完了入力または配達された生産品に問題があり時の受取り未完了入力を受付ける受取完了入力手段（２０４）と、購入者端末に対して配達された生産品に破損等の問題があり時にクレーム内容の入力を受けつるクレーム登録手段（２０５）と、購入者受取完了の購入済み生産品に対して生産者への代金支払い処理と購入者端末（１０４）と生産者端末に対して支払い完了の旨を表示する支払完了手段（２０６）と、購入者端末に対して欲しい先物生産品の情報の登録や生産者端末（１０３）に対して購入要求が登録されている先物生産品の情報検索を行う先物購入手段（２０７）と、生産者端末に対して生産者プロファイル情報、出荷場所情報、生産品の情報等の入力を受付ける生産者登録手段（２１１）と、生産者端末に対して販売実績が販売予定閾値の圏外の場合にその旨のメールを配信制御する収穫計画予定手段と、配達者端末に対して配達者プロファイル情報と配達エリア情報と配達完了情報の入力を受付ける配達者登録手段（２２１）と、配達者端末に対して配達予定の生産品の積載量が予め設定された積載閾値圏外の時にその旨のメールを配信制御する配達計画予定手段（２２２）とから構成されている。
【００３５】
生産品検索手段（２０１）は、購入者端末（１０４）に対して購入を希望する生産品名称／配達希望日時開始／配達希望日時終了の検索条件入力を促し、生産品名称及び検索条件の配達希望日時開始／配達希望日時終了内の配達完了予定日時の検索結果一覧を表示し購入を促す。また、生産品検索手段（２０１）は、購入者端末（１０４）に対して収穫予定日時と配達完了予定日時から収穫経過予定時間を算出し、収穫経過予定時間の順番に生産品の検索結果一覧を表示する。
【００３６】
生産品購入手段（２０２）は、購入者端末（１０４）に対して生産品の検索結果一覧により購入する生産品の購入数量の入力を促し、電子ポイントの残高の範囲内で購入受付を行い、電子ポイントから購入した生産品の代金を減じた電子ポイント残高を購入者ＤＢのワレット・テーブルに保持させる。
【００３７】
電子ポイント購入手段（２０３）は、購入者端末（１０４）に対して生産品の購入時に使用する代金決済用の電子ポイントの事前の購入入力を促し、クレジットカード決済等により購入した電子ポイントを購入者ＤＢのワレット・テーブルに保持させる。
【００３８】
受取完了入力手段（２０４）は、購入者端末（１０４）に対して配達完了日時から一定時間までに購入者受取完了区分及び購入者受取日時の入力を促し、入力された購入者受取完了区分及び購入者受取日時を支払情報・テーブルに保持させる。
【００３９】
クレーム登録手段（２０５）は、購入者端末（１０４）に対して配達完了日時から一定時間までに購入した生産品に対するクレームの入力を促し、入力された破損状況等のクレーム内容をクレーム・テーブルに保持させる。
【００４０】
支払完了手段（２０６）は、購入者受取完了の購入済み生産品に対して生産者への代金支払い処理と購入者端末（１０４）と生産者端末（１０３）に対して支払い完了の旨を表示する。購入者受取完了区分が“完了”になっている購入済み生産品に対して生産者に支払処理を行い、支払完了区分／支払完了日時等の支払内容を支払情報・テーブルに保持させる。また、配達完了日時から一定時間後の購入者受取完了区分が未入力の場合は、購入者受取完了区分に“完了”設定を行い購入者受取完了区分及び購入者受取日時を支払情報・テーブルに保持させる。
【００４１】
先物購入手段（２０７）は、購入者端末（１０４）に対して欲しい先物生産品の入力を促し、入力された希望する先物生産品情報を先物購入要求・テーブル保持し、登録された先物生産品を取扱う生産者に購入要求の電子メールを配信する。また、先物購入手段（２０７）は、生産者端末（１０３）に対して、購入者から登録された購入要求のある先物生産品の検索を促し、購入要求の先物生産品一覧を表示する。
【００４２】
生産者登録手段（２１１）は、生産者端末に対して生産者氏名／生産者住所／メールＩＤ／先物生産品分類／先物生産品名称等の生産者プロファイル情報の入力を受付け、生産者プロファイル・テーブルに保持させる。また、生産者登録手段（２１１）は、生産者端末に対して生産者毎の出荷場所等の出荷場所情報の入力を受付け、出荷場所・テーブルに保持させる。また、生産者登録手段（２１１）は、生産者端末に対して出荷場所／生産品名称／出荷予定数量／出荷予定日時／収穫予定日時等の生産品情報の入力を受付け、生産品・テーブルに保持させる。
【００４３】
収穫計画予定手段（２１２）は、生産者端末（１０３）に対して販売実績が収穫変更下限閾値を下回った場合又は収穫変更上限閾を上回った場合にその旨のメールをメールサーバ（１０２）に配信させる。
【００４４】
配達者登録手段（２２１）は、配達者端末して配達者氏名／配達者住所／メールＩＤ等の配達者プロファイル情報の入力を受付け、配達者プロファイル情報・テーブルに保持させる。また、配達者登録手段（２２１）は、配達者端末に対して出荷場所／集配時間／郵便番号別配送時間等の配達エリア情報の入力を受付け、配達エリア・テーブルに保持させる。また、配達者登録手段（２２１）は、配達者端末に対して配達が完了した時点で配達完了日時の配達完了情報の入力を受付け、配達情報・テーブルと支払情報・テーブルに保持させる。
【００４５】
配達計画予定手段（２２２）は、配達者端末に対して配達予定の生産品積載量が配達者プロファイル・テーブルの積載上限重量閾値／積載上限サイズ上限閾値／積載下限重量閾値／積載下限サイズ上限閾値を下回った場合又は上回った場合にその旨のメールをメールサーバ（１０２）に配信させる。
【００４６】
次に本発明の実施の形態におけるデータベースについて図面を参照して説明する。
【００４７】
図３を参照すると、生産者ＤＢ（３０１）は、生産者プロフィル・テーブル（３０２）と出荷場所・テーブル（３０３）から構成され、生産者の氏名や生産品の出荷場所等の基本的な生産者情報が保管されている。
【００４８】
生産者プロフィル・テーブル（３０２）は、生産者ＩＤ（３０２０１）と生産者氏名（３０２０２）、生産者住所（３０２０３）等から構成され、基本的な生産者の属性情報が保管されている。生産者ＩＤ（３０２０１）は、本システムによって、自動符番（キー設定）される。先物生産品分類（３０２０６）は、生産者が生産可能な複数の生産品の分類が設定される。先物生産品名称（３０２０７）は、生産者が生産可能な複数の生産品の名称が設定される。先物生産品分類（３０２０６）と先物生産品名称（３０２０７）の内容は、例えば、“米／○○ササニシキ”、“ウリ科／○○きゅうり”等が設定される。
新規の生産者登録時点で有効区分（３０２１０）が“有効”、有効開始日（３０２１１）が“登録日”、有効終了日が“登録日＋１年後”が設定される。本システムでは、有効区分（３０２１０）が“有効”の生産者の生産者情報が情報提供サービスの対象となる。クレーム多発等の理由により本システムの管理者が有効区分（３０２１０）を“無効”することができる。また、有効終了日（３０２１１）が過ぎたものは、本システムにより自動的に有効区分（３０２１０）が“無効”となる。
【００４９】
出荷場所・テーブル（３０３）は、本システムによって、自動符番（キー設定）される出荷場所ＩＤ（３０３０１）と生産者ＩＤ（３０３０２）、出荷場所住所（３０３０３）等から構成され、生産品の田畑や集配所等の出荷場所情報が保管されている。
【００５０】
生産品ＤＢ（３０４）は、生産品・テーブル（３０５）から構成されている。生産品・テーブル（３０５）は、生産品毎の生産者ＩＤ／出荷場所ＩＤ／出荷予定日時等の生産品情報が保管されている。生産品ＩＤ（３０５０３）は、本システムによって、自動符番（キー設定）される。出荷予定数量（３０５１７）は、収穫予定数量（３０５１８）が設定される。受注可能数量（３０５１３）の初期値は、生産品登録時点の出荷予定数量（３０５１２）値が設定され、購入者からの購入時点では受注可能数量（３０５１３）から購入数量が差引いた残数が設定される。収穫予定日時（３０５１８）は、本生産品の収穫予定の日時が設定されている。出荷予定日時（３０５１７）、本生産品が出荷場所から出荷可能となる予定日時が設定され、配達開始の可能時間となる。
収穫変更上限閾値（３０５２０）は、本生産品の販売予定の上限数量が保持され、購入者からの購入数量である販売実績の数量が本項目の値を超えると収穫予定数量である出荷予定数量（３０５１２）の見直しを行い、販売数量の拡大を図ることが可能となる。収穫変更上限日時（３０５２１）は、販売実績の数量が収穫変更上限閾値（３０５２０）を超えているかの自動チェックを行う日時が設定されている。
収穫変更下限閾値（３０５２２）は、本生産品の販売予定の下限数量が保持され、購入者からの購入数量である販売実績の数量が本項目の値を下回ると収穫予定数量である出荷予定数量（３０５１２）の見直しを行い、売残り防止を図ることが可能となる。収穫変更下限日時（３０５２３）は、販売実績の数量が収穫変更下限閾値（３０５２２）を下回っているかの自動チェックを行う日時が設定されている。
【００５１】
購入者ＤＢ（３１０）は、購入者プロフィル・テーブル（３１１）とワレット・テーブル（３１２）から構成され、購入者氏名（３１１０２）や購入者の電子ポイント残高（３１２０３）等の基本的な購入者情報が保管されている。
【００５２】
購入者プロフィル・テーブル（３１１）は、購入者ＩＤ（３１１０１）と購入者氏名（３１１０２）、購入者住所（３１１０４）等から構成され、基本的な購入者の属性情報が保管されている。購入者ＩＤ（３１１０１）は、本システムによって、自動符番（キー設定）される。
【００５３】
ワレット・テーブル（３１２）は、ワレットＩＤ（３１２０１）と購入者ＩＤ（３１２０２）、電子ポイント残高（３１２０３）等から構成され、本システム内で使用される電子ポイント残高（３１２０３）等の情報が保管されている。ワレットＩＤ（３１２０１）は、本システムによって、自動符番（キー設定）される。電子ポイント残高（３１２０３）は、購入者が本システム内で使用できる電子ポイントの残高である。購入者が生産品を購入する際の代金が電子ポイント残高（３１２０３）から減額される。支払予定電子ポイント残高（３１２０４）は、購入者が生産品を購入する際に代金が加算され、購入者が生産品の購入者受取完了入力を行った際に減額される。
【００５４】
購入情報ＤＢ（３２０）は、購入情報・テーブル（３２１）から構成される。購入情報・テーブル（３２１）は、購入ＩＤ（３２１０４）と生産品ＩＤ（３２１０３）、購入数量（３２１０６）等の生産品の購入情報が保管されている。購入ＩＤ（３２１０４）は、本システムによって、自動符番（キー設定）される。
購入数量（３２１０６）は、購買者が購入した数量が保管されている。配達者ＩＤ（３２１０５）は、本生産品の配達者のＩＤが保管されている。配達希望日時（３２１１０）は、購入者が入力した配達を希望する日時が保管されている。配達完了予定日時（３２１１１）は、本システムによって、生産品・テーブル（３０５）の出荷予定日時（３０５１７）と、出荷予定日時（３０５１７）以降の配達エリア・テーブル（４０３）の集配時間（４０３０４）と、配達先住所の郵便番号と一致する配達エリア・テーブル（４０３）の郵便番号別配送時間（４０３０７）の合計値が設定されている。
取消区分（３２１１５）は、購入時点は“無効”が設定され、購入者による購入取消が行われると“有効”が設定される
【００５５】
先物購入要求ＤＢ（３２２）は、先物購入要求・テーブル（３２３）から構成される。先物購入要求・テーブル（３２３）は、先物要求ＩＤ（３２３０１）と先物生産品分類（３２３０２）、先物生産品名称（３２３０３）等の先物生産品の購入要求情報が保管されている。先物要求ＩＤ（３２３０１）は、本システムによって、自動符番（キー設定）される。
先物生産品分類（３２３０２）は、購入者が購入要求する生産品の分類が設定される。先物生産品名称（３２３０３）は、購入者が購入要求する生産品の名称が設定される。要望内容（３２３０４）は、購入者が要望する具体的な内容が設定される。希望購入開始日時（３２３０８）と希望購入終了日時（３２３０９）は、購入者が希望する購入期間が設定される。要求期限日時（３２３１０）は、購入者が購入要求を行う期限が設定され、その期限内での生産者による検索が可能となる。要求購入完了区分（３２３１１）は、購入者が購入要求している本生産品が購入済みの時に購入者によって“完了”が設定される。
取消区分（３２３１７）は、登録時点は“無効”が設定され、購入者による購入要求取消が行われると“有効”が設定される
【００５６】
図４の配達者ＤＢ（４０１）は、配達者プロフィル・テーブル（４０２）と配達エリア・テーブル（４０３）から構成され、配達者の氏名や出荷場所から配達可能エリア等の基本的な配達者情報を保管されている。
【００５７】
配達者プロフィル・テーブル（４０２）は、配達者ＩＤ（４０２０２）と配達者氏名（４０２０３）、配達者住所（４０２０４）等の基本的な配達者の属性情報を保管されている。配達者ＩＤ（４０２０２）は、本システムによって、自動符番（キー設定）される。
積載上限重量閾値（４０２０７）と積載下限重量閾値（４０２０９）は、配達者の輸送車の積載重量の上限値と下限値が設定され、配達予定の積載重量がその閾値を超える場合に本システムにより積載量を超えている旨の電子メールが配達者に対し配信される。積載上限サイズ上限閾値（４０２０８）と積載下限サイズ上限閾値（４０２１０）は、配達者の輸送車の積載サイズの上限値と下限値が設定され、配達予定の積載サイズがその閾値を超える場合に本システムにより積載サイズを超えている旨の電子メールが配達者に対し配信される。積載判定時刻（４０２１１）は、本システムによる積載量チェックを実施する時間が設定され、毎日の定刻に積載量チェックが自動実施される。
【００５８】
配達エリア・テーブル（４０３）は、配達エリアＩＤ（４０３０２）と配達者ＩＤ（４０３０１）、出荷場所ＩＤ（４０３０３）等が保管され、配達エリアＩＤ（４０３０２）毎の生産品の出荷場所から配達者が配達可能な配達エリア情報を保管されている。配達エリアＩＤ（４０３０２）は、本システムによって、自動符番（キー設定）される。
出荷場所ＩＤ（４０３０３）は、出荷場所・テーブル（３０３）の出荷場所ＩＤ（３０３０１）が設定されている。集配時間（４０３０４）は、集配者が出荷場所からの集配時間が設定されている。配達可能エリア（４０３０５）は、出荷場所から生産品を配達することができるエリアが設定されている。配達可能郵便番号（４０３０６）は、配達可能エリアの具体的な郵便番号が複数個設定されている。郵便番号別配送時間（４０３０７）は、出荷場所から配達先住所（郵便番号）までの配送時間の目途が複数個設定されている。
【００５９】
配達情報ＤＢ（４０４）は、配達情報・テーブル（４０５）から構成される。配達情報・テーブル（４０５）は、購入ＩＤ等毎に配達ＩＤ（４０５０５）と出荷場所ＩＤ（４０５０２）、集配日時（４０５１２）、配達完了予定日時（４０５１３）の配達情報が保管されている。配達ＩＤ（４０５０５）は、本システムによって、自動符番（キー設定）される。
パッキングＩＤ（４０５０６）は、本システムによって、同日の配送先住所が同じ購入ＩＤ（４０５０４）を集約化したＩＤが符番される。配達完了予定日時（４０５１３）は、本システムによって、購入情報・テーブル（３２１）の配達完了予定日時（４０５１３）が設定される。配達完了日時（４０５１４）は、実際に配達が完了した時点でその時間を入力、設定する。購入者受取日時（４０５１５）は、購入者が生産品を受取った時点で、購入者がその時間を入力、設定する。購入者受取完了（４０５１６）は、購入者が生産品を受取り後に品質等に問題が無ければ、購入者が“有効“を入力する。また、購入者による未入力の場合、配達完了日時の一定時間経過時点で本システムによって”有効“が設定される。
【００６０】
クレームＤＢ（４０６）は、クレーム・テーブル（４０７）とクレーム履歴・テーブル（４０８）から構成され、配達した生産品毎のクレームの発生やクレームの履歴等のクレーム情報を保管されている。
【００６１】
クレーム・テーブル（４０７）は、購入ＩＤ（４０７０５）毎のクレームＩＤ（４０７０８）とクレーム内容（４０７１０）等の生産品のクレーム発生情報が保管されている。クレームＩＤ（４０７０８）は、本システムによって、自動符番（キー設定）される。
クレーム箇所（４０７０９）は、生産品の掲載（番号：１）、検索（番号：２）、購入（番号：３）、配達（番号：４）、納品（番号：５）、支払（番号：６）、先物購入要求（番号：７）、その他（番号：９）等のクレームが発生した箇所が入力、設定される。クレーム内容（４０７１０）は、納入された生産品の破損等の具体的なクレーム内容が入力、設定される。
対応者区分（４０７１２）は、生産者（番号：１）、配達者（番号：２）、購入者（番号：３）等のクレーム原因の起因者が入力、設定される。対応者区分（４０７１２）は、クレームの対応者が入力し、設定される。対応内容（４０７１３）は、対応者によって対応者の対応した内容が入力される。クレーム者完了区分（４０７１４）は、クレーム登録を行った者により、クレーム問題が完了した時点で“有効”が入力、設定される。クレーム完了日時（４０７１５）は、クレーム問題が完了した日時が入力、設定される。
【００６２】
クレーム履歴・テーブル（４０８）は、クレーム履歴ＩＤ（４０８０８）とクレームＩＤ（４０８０７）、履歴内容（４０８１０）等の生産品のクレームの履歴情報が保管されている。クレーム履歴ＩＤ（４０８０７）は、本システムによって、自動符番（キー設定）される。
履歴者区分（４０８０９）は、生産者（番号：１）、配達者（番号：２）、購入者（番号：３）等の本履歴の発信者区分が入力、設定される。履歴内容（４０８１０）は、履歴者によってクレーム内容や対応内容が入力される。
【００６３】
支払情報ＤＢ（４０９）は、支払情報・テーブル（４１０）から構成される。支払情報・テーブル（４１０）は、支払ＩＤ（４１００７）と購入ＩＤ（４１００４）、支払金額（４１０１６）等の支払情報が保管されている。支払ＩＤ（４１００７）は、本システムによって、自動符番（キー設定）される。
配達完了日時（４１０１２）、購入者受取完了区分（４１０１３）、購入者受取日時（４１０１４）は、配達情報・テーブルの同項目が設定される。
支払区分（４１０１５）は、本システムの電子ポイントであるワレットの場合は“１”、クレジットカード決済の場合は“２”、口座振込の場合は“３”が設定される。支払金額（４１０１６）は、本システムにより、配達数量と購入単価の乗算値が設定される。支払日時（４１０１７）は、本システムにより、購入者受取日時（４１０１４）が設定される。支払完了区分（４１０１８）は、本システムにより、購入者受取完了区分（４１０１３）が“有効”で支払完了区分（４１０１８）が未入力な支払いデータに対し月次で行われる生産者への支払い処理が完了した時点で“有効”が設定される。支払完了日時は、本システムでの月次の支払処理日が設定される。
【００６４】
次に本発明の実施の形態における処理について図面を参照して説明する。
【００６５】
図５は、生産品検索の処理概要である。購入者端末（１０４）において、購入者が購入者氏名や購入者住所等の購入者プロファイル情報を入力すると、購入者プロファイル情報は購入者プロファイル・テーブル（３１１）に保持される。購入者は、購入したい生産品の検索条件を入力し、生産品・テーブル（３０５）と配達エリア・テーブル（４０３）から検索条件に合致する生産品の一覧が表示される。生産品購入手段（２０１）は、購入者端末（１０４）に対し検索結果一覧を表示し、購入入力を促す。購入者は、購入数量等の購入入力を行い、ワレット・テーブル（３１２）の電子ポイント残高（３１２０３）から購入金額の代金支払いを行う。生産品購入手段（２０２）は、購入数量や配達先住所等の購入情報を購入情報・テーブル（３２３）と配達情報・テーブル（３４１）に保持し、支払予定の金額等の支払情報を支払情報・テーブル（４１０）に保持する。
これにより、購入者は欲しい購入時期の合致する生産品の提示を受け、鮮度等の比較検討及び購入が行える。
【００６６】
図６は、検索条件入力画面（６０１）イメージである。生産品検索手段（２０１）は、購入者の購入者プロファイル・テーブル（３１１）の購入者氏名（６０２）や購入者住所（６０３）を表示する。配達先住所の郵便番号（６０７）と住所（６０８）は、購入者の購入者プロファイル・テーブル（３１１）の購入者郵便番号（３１１０３）と購入者住所（３１１０４）を初期表示する。購入者は、欲しい生産品の名称を購入希望生産品名称（６０４）に、生産品が到着して欲しい時期を配達希望日時開始（６０５）と終了（６０６）に、配達して欲しい住所を配達先住所（６０７，６０８）に入力し、「検索開始」（６０９）を押下する。
これにより、購入者が欲しい生産品の検索条件（６０４〜６０８）の入力が行える。
【００６７】
図７は、検索条件に合致する生産品の検索結果一覧の表示手順を示す図である。購入希望生産品名称（６０４）と一致する生産品・テーブル（３０５）の生産品名称（３０５０８）を検索し、次に生産品・テーブル（３０５）の出荷場所ＩＤ（３０５０２）と一致する配達エリア・テーブル（４０３）の出荷場所ＩＤ（４０３０２）を検索し、配達希望日時開始（６０５）と終了（６０６）を満たす生産品を順次、一覧に表示する。
【００６８】
生産品・テーブル（３０５）の出荷予定日時が設定されていない場合は、対象外となる。（Ｓ７０１）
配達エリア・テーブル（４０３）の集配時間（４０３０４）が生産品・テーブル（３０５）の出荷予定日時（３０５１９）の時刻部分の後の場合は、出荷予定日時（３０５１９）の当日の集配時間（４０３０４）が検索中生産品の集配時間となる。その他の場合は、翌日の集配時間（４０３０４）が検索中生産品の集配時間となる。（Ｓ７０２、Ｓ７０３、Ｓ７０４）
検索条件の郵便番号（６０７）と一致する配達エリア・テーブル（４０３）の郵便番号別配送時間（４０３０７）の郵便番号がない場合は、対象外となる。（Ｓ７０５）
検索中生産品の配達完了予定時間は、集配時間（Ｓ７０３、Ｓ７０４）と検索条件の郵便番号（６０７）に合致する配達エリア・テーブル（４０３）の郵便番号別配送時間（４０３０７）の合算となる。
配達完了予定時間が検索条件の配達希望日時開始（６０５）と終了（６０６）の範囲外の場合は、対象外となる。
生産品・テーブル（３０５）の収穫予定日時（３０５１８）が設定されている場合は、配達完了予定時間（Ｓ７０３、Ｓ７０４）から収穫予定日時（３０５１８）を減算した時間が検索中生産品の収穫経過予定時間となる。（Ｓ７０９）その他の場合は、ＭＡＸ値を検索中生産品の収穫経過予定時間とする。（Ｓ７１０）
計算された検索中生産品の収穫経過予定時間の短い順番に検索結果一覧に表示する。（Ｓ７１１）
【００６９】
図８は、配達完了予定日時の例示チャートである。検索条件の購入希望生産品名称（６０４）と一致する生産品・テーブル（３０５）の生産品名称（３０５０８）を検索し、次に生産品・テーブル（３０５）の出荷場所ＩＤ（３０５０２）と一致する配達エリア・テーブル（４０３）の出荷場所ＩＤ（４０３０２）を検索した状態の時に、生産品・テーブル（３０５）の収穫予定日時（３０５１８）が“2009.6.4  5:00”、出荷予定日時が“2009.6.4  8:00”、配達エリア・テーブル（４０３）の配達時間（４０３０４）が“10:00”、検索条件の郵便番号（６０７）と一致する郵便番号別配達時間が“6時間”とする。
配達エリア・テーブル（４０３）の配達時間（４０３０４）が出荷予定時間（８０２）の時刻より後なので、集配時間は、当日の集配時間（８０３）となる。配達完了予定日時（８０５）は、当時の集配時間（８０３）から郵便番号別配送時間（８０４）経過後の“2009.6.4  16:00”頃となる。収穫経過予定時間は、配達完了予定時間（８０５）から収穫予定時間（８０１）を減じた１１時間となる。
この時に検索条件の配達希望日時開始（６０５）が“2009.6.4  15:00”と終了（６０６）が“2009.6.4  18:00”の場合は、検索中の生産品は検索対象となる。また、配達希望日時開始（６０５）が“2009.6.4  11:00”と終了（６０６）が“2009.6.4  12:30”の場合は、検索中の生産品は検索対象外となる
【００７０】
図９は、検索の結果を表示する検索結果画面（９０１）イメージ図である。配達完了予定日時（９０５）は、購入者に生産品が到着する予定時間を表示している。収穫経過予定時間は、生産品が収穫されてから購入者に到着するまでの経過時間を表示している。購入者は、購入したい生産品の購入（９０７）をチェックし、「購入する」（９０８）を押下することで生産品が購入できる。
これにより、購入者は、収穫経過予定時間（９０６）から生産品の鮮度と生産品の単価（９０４）等から他の生産品との比較検討を行い、生産品を購入することが出来る。
【００７１】
図１０は、欲しい生産品が見つからない場合に、欲しい生産品の購入要求を行う先物生産品の購入処理概要である。
生産者端末（１０３）から生産者登録手段（２１１）を使用し、生産者が取扱う全ての生産品分類や取扱う生産品名称の生産品情報を入力すると、生産品情報は生産者プロファイル・テーブル（３０２）の先物生産品分類（３０２０６）と先物生産品名称（３０２０７）に保持される。
購入者は、欲しい生産品が生産品検索手段（２０１）で見つからない場合に、先物購入手段・登録（１００１）を使用し、購入者端末（１０４）から購入者が欲しい先物生産品分類や先物生産品名称、希望購入開始日時、希望購入終了日時等の先物生産品情報を入力すると、先物生産品情報は先物購入要求・テーブル（３２３）に保持される。
先物購入手段（２０７）は、保持された先物購入要求・テーブル（３２３）の先物生産品分類（３２３０２）や先物生産品名称（３２３０３）と一致する生産者プロファイル・テーブル（３０２）の先物生産品分類（３０２０６）と先物生産品名称（３０２０７）を検索し、一致する生産品を取扱う生産者に対し先物生産品の購入要求の電子メール（１００２）を配信する。
先物生産品の購入要求の電子メールを受けた生産者またはその他の生産者は、先物購入手段・検索（１００３）を使用し、先物購入要求・テーブル（３２３）の先物生産品分類（３２３０２）や先物生産品名称（３２３０３）、希望購入開始日時（３２３０８）等を検索、生産の可能性を検討する。購入要求の先物生産品が生産可能な場合に、生産者は生産者登録手段（２１１）を使用し、生産品情報を生産品・テーブル（３０５）に登録する。また、生産者は、先物生産品の購入要求を行った購入者に対し、購入要求の先物生産品が購入可能となったことをお知らせする電子メール（１００４）を配信する。
お知らせ電子メール（１００４）を受けた購入者は、生産品検索手段（２０１）を使用し、欲しい生産品の検索を行う。
【００７２】
図１１は、生産者が、収穫計画予定手段（２１２）を使用して、生産品の販売状況を表示した販売実績一覧画面（１１０１）イメージである。
生産者氏名（１１０２）は、販売実績一覧画面（１１０１）の操作を行っている生産者の生産者プロファイル・テーブル（３０２）の生産者氏名（３０２０２）である。
商品名称（１１０４）は、生産品・テーブル（３０５）の生産品名称（３０５０８）である。収穫予定日時（１１０５）は、生産品・テーブル（３０５）の収穫予定日時（３０５１８）である。出荷予定数量（１１０６）は、生産品・テーブル（３０５）の出荷予定数量（３０５１２）である。販売実績数量（１１０７）は、生産品・テーブル（３０５）の出荷予定数量（３０５１２）から受注可能数量（３０５０）を減じた値である。残数量（１１０７）は、生産品・テーブル（３０５）の受注可能数量（３０５０）である。
これにより、生産者は、生産者毎の商品名称／収穫予定日時／出荷予定数量別の販売実績を把握することができる
【００７３】
次に図１２と図１３を使用し、売残りによる生産品の廃棄等を防止する収穫計画予定手段（２１２）における販売実績が最低予定販売数量を下回った場合の警告・電子メールの処理を説明する。
図１２は、生産者ＩＤが“000000xx”（１２０１）、商品名称が“○○大根”（１２０３）、出荷予定数量が“50本” （１２０４）、受注可能数量が“40本” （１２０５）、収穫予定日時が“2009.6.8  5:00” （１２０６）、収穫変更下限閾値が“15本” （１２０９）、収穫変更下限日時が“2009.6.4  10:00” （１２１０）の生産品・テーブル（３０５）のイメージデータ図である。この時の販売実績数量は、出荷予定数量が“50本” （１２０４）から受注可能数量が“40本” （１２０５）を減じた10本となる。
収穫計画予定手段（２１２）は、収穫変更下限日時“2009.6.4  10:00” （１２１０）の販売実績の自動チェック時において、販売実績“10本”が収穫変更下限閾値“15本” （１２０９）以下の場合、販売実績が最低販売予定数量を下回った旨の電子メールを生産者に配信する。
図１３は、生産者氏名が“Ａ”（１３０１）、商品名称が“○○大根”（１３０２）、収穫予定日時が“2009.6.8  5:00” （１３０３）、出荷予定数量が“50本” （１３０４）、販売実績数量が“10本” （１３０５）、収穫変更下限閾値が“15本” （１３０６）、収穫変更下限日時が“2009.6.4  10:00” （１３０７）の電子メールのイメージデータである。
これにより、生産者は、低迷する販売実績の生産品の出荷予定数量（収穫予定数量）を見直し、売残り防止対応を図ることができる。
【００７４】
図１４は、配達者が、配達計画予定手段（２２２）を使用して、生産品の配達予定状況を表示した配達予定一覧画面（１４０１）イメージである。
配達者氏名（１４０２）は、配達予定一覧画面（１４０１）の操作を行っている配達者の配達者プロファイル・テーブル（４０２）の生産者氏名（４０２０３）である。
次に、配達予定一覧画面（１４０１）の操作を行っている配達者の配達情報・テーブル（４０５）の配達者ＩＤ（４０５１１）を検索し、集配日時／出荷場所／商品名称の順番で表示する。集配日時（１４０４）は、配達情報・テーブル（４０５）の集配日時（４０５１２）である。出荷場所（１４０５）は、配達情報・テーブル（４０５）の出荷場所ＩＤ（４０５０２）で検索した出荷場所・テーブル（３０３）の出荷場所住所（３０３０３）である。商品名称（１４０６）は、配達情報・テーブル（４０５）の生産品ＩＤ（４０５０３）で検索した生産品・テーブル（３０５）の生産品名称（３０５０８）である。数量（１４０７）は、配達情報・テーブル（４０５）の配達数量（４０５０７）である。重さ（１４０８）は、配達情報・テーブル（４０５）の梱包重量（４０５０９）である。サイズ（１４０９）は、配達情報・テーブル（４０５）の梱包サイズ（４０５０８）である。配達先（１４１０）は、配達情報・テーブル（４０５）の購入ＩＤ（４０５０４）で検索した購入情報・テーブル（３２１）の配達先住所（３２１１２）である。合計（１４１２）は、重さ（１４０８）の合計重要である。該当配達日の積載重要となる。
これにより、配達者は、配達日毎の集配日時／商品名称別の重さとサイズとその合計値を把握することができる。
【００７５】
次に図１４と図１５、図１６を使用し、配達品の積載量オーバー等を防止する配達計画予定手段（２２２）における配達予定の積載重量が運搬車の積載上限値を超えた場合の警告・電子メールの処理を説明する。
図１５は、配達者ＩＤが“00000zzzz”（１５０１）、配達者氏名が“○×○運送”（１５０２）、積載上限重量閾値が“2,500Kg” （１５０３）、積載判定時刻が“15:00” （１５０７）の配達者プロファイル・テーブル（４０２）のイメージデータ図である。
配達計画予定手段（２２２）は、積載判定時刻“15:00” （１５０７）に積載量の自動チェックを行い、図１４の配達予定一覧の状況において、2009.6.7配達予定の積載重量2,800Kg（１４１２）が輸送車の積載上限重量閾値2,500Kg（１５０３）を超えているので、配達予定重量が積載上限を超えている旨の電子メールを生産者に配信する。
図１５は、配達者氏名が“○×○運送”（１６０１）、配達予定日が“2009.6.7”（１６０２）、積載予定重量が“2,800Kg” （１６０３）、積載上限重量閾値が“2,500Kg”の電子メールのイメージデータである。
これにより、配達者は、積載オーバー等の状況を把握し、輸送車の見直し、適正な配車の対応を図ることができる。
【図１】
2011002915.tif 000003
【図２】
2011002915.tif 000004
【図３】
2011002915.tif 000005
【図４】
2011002915.tif 000006
【図５】
2011002915.tif 000007
【図６】
2011002915.tif 000008
【図７】
2011002915.tif 000009
【図８】
2011002915.tif 000010
【図９】
2011002915.tif 000011
【図１０】
2011002915.tif 000012
【図１１】
2011002915.tif 000013
【図１２】
2011002915.tif 000014
【図１３】
2011002915.tif 000015
【図１４】
2011002915.tif 000016
【図１５】
2011002915.tif 000017
【図１６】
2011002915.tif 000018